(57)【特許請求の範囲】
【請求項１】
形鋼を使用した造営材の水平突起部に係止せしめる既存の吊り金具に装着して、該吊り金具の支持強度を強化する吊り金具用補強金具において、
吊り金具は、吊りボルトを垂直に支持する支持部と、該支持部の上部から水平に延長されて造営材の水平突起部の上に係止する係止部と、支持部の下部から水平に延長されて水平突起部の下面に下から締め付け固定する締付ボルトを装着した圧着部とで側面略コ字状を成し、水平突起部上に当接せしめる左右一対の羽根を係止部に備えた吊り金具であり、
該吊り金具の支持部の外側面から係止部及び圧着部の外側面を囲むように形成された平面コ字形状の嵌合体と、該嵌合体の側面から係止部を貫通する固定ボルトとを備え、
係止部の外側面を囲む嵌合体が羽根の上面に係止するように装着され、
係止部に開口されている連結孔に重合する固定ボルト連結孔を嵌合体の側面に形成し、該固定ボルト連結孔と連結孔とに固定ボルトを挿通して吊り金具に固定するように構成したことを特徴とする吊り金具用補強金具。
【請求項２】
前記嵌合体は、前記支持部の外側面に重ねる支持板と、前記係止部の外側面に重ねる係止板と、前記圧着部の外側面に重ねる圧着板とが連続形成され、
前記固定ボルト連結孔は、前記係止部に開口されている連結孔に重合する位置で且つ横長の長孔状に形成されると共に、
側板と補強片との間に形成された挿入口の基端部に、該挿入口の幅を調整せしめる傾斜面を設け、該傾斜面と固定ボルト連結孔との位置により、異なる厚みの水平突起部を下から接するように構成された請求項１記載の吊り金具用補強金具。
【請求項３】
前記嵌合体は、前記支持板に切欠部を形成して内部の支持部が一部表出するように設けられ、角Ｕ字ボルトを使用した既存の補強金具を支持板の上から支持部に係止するように構成された請求項２記載の吊り金具用補強金具。
【発明の詳細な説明】
【技術分野】
【０００１】
本発明は、地震時の繰り返し揺れを受けても吊り金具の変形を防止することができる吊り金具用補強金具に関するものである。
【背景技術】
【０００２】
当出願人は、特許文献１に記載の如く、形鋼に装着した吊り金具が、地震等の振動でも外れないように装着する吊り金具用耐震補助具を先に提案している。この補助具は吊りボルト支持用の吊り金具に装着するもので、この補助具を装着する吊り金具は形鋼フランジの水平突起部に係止する略コ字状の開口部と、この開口部内の水平突起部を下から締め付け固定する締付ボルトとを有するタイプの吊り金具に装着するものである。
【０００３】
特許文献１の補助具の構成は、吊り金具の側面に係止する平面略Ｕ字形状を成し吊り金具の開口方向に延長された係止杆体と、形鋼に連結する固定板体とを備えたものである。この補助具を吊り金具に装着することにより、地震等で、吊り金具の締付ボルトが緩んだとしても、補助金具が吊り金具を支持しているので、吊り金具の脱落を防止することができる。
【０００４】
また、特許文献２に、羽根を備えたタイプの吊り金具を補強する補助具が記載されている。この羽根は、吊り金具の左右側面に一対備えられており、形鋼のフランジに当接させることで、吊り金具に対する左右への支持強度を高める効果がある。特許文献２の補助具では、このような羽根を備えた吊り金具を補強する手段として、前記特許文献１にて使用している平面略Ｕ字形状の係止杆体に替えて長ボルトを使用したものである。
【先行技術文献】
【特許文献】
【０００５】
【特許文献１】特許第２７４７６６７号公報
【特許文献２】特開２０１１-１６３０７８号公報
【発明の概要】
【発明が解決しようとする課題】
【０００６】
特許文献１や特許文献２に記載の補助金具によると、いずれも、係止杆体や長ボルトの長手方向に沿った強化が可能になり、吊り金具の開口部から形鋼のフランジが外れる方向への吊り金具の移動を防止することはできる。ところが、先の東日本大震災により、これら当初の予想に反する方向に思わぬ脆弱性があることが判明した。
【０００７】
すなわち、吊り金具の中でも、特許文献２に記載されている羽根を備えたタイプでは、形鋼のフランジに当接する羽根を左右側面に備えているので、この左右方向への支持強度は特に補強しなくても十分な耐久性があると思われていた。ところが、この羽根を備えたタイプの吊り金具に従来の補助金具を装着したものを震災後に確認すると、この羽根に変形が生じ、フランジと羽根との間に隙間が開いているものが確認されている。これは、羽根を備えたタイプの吊り金具に対し、左右の羽根方向に予想を超えた振動や荷重を受けたことにより、羽根に変形が生じたものである。このように羽根に変形が生じ、フランジとの当接面に隙間が生じている吊り金具は、既にフランジに対する締め付け保持力が完全に失われており、更に余震等が加わると簡単に外れてしまう危険性がある。
【０００８】
そこで、本発明は上述の課題を解消すべく創出されたもので、羽根を有するタイプの吊り金具に装着することで、吊り金具の左右方向に加わる荷重や振動に対する耐久性を強化して羽根の変形を防止し、しかも、角Ｕ字ボルトを使用する従来型の補強金具と併用することが可能な吊り金具用補強金具の提供を目的とするものである。
【課題を解決するための手段】
【０００９】
上述の目的を達成すべく本発明における第１の手段は、形鋼を使用した造営材Ｐの水平突起部Ｐ１に係止せしめる既存の吊り金具１０に装着して、該吊り金具１０の支持強度を強化する吊り金具用補強金具において、
吊り金具１０は、吊りボルトＱを垂直に支持する支持部１１と、該支持部１１の上部から水平に延長されて造営材の水平突起部Ｐ１の上に係止する係止部１２と、支持部１１の下部から水平に延長されて水平突起部Ｐ１の下面に下から締め付け固定する締付ボルト１５を装着した圧着部１３とで側面略コ字状を成し、水平突起部Ｐ１上に当接せしめる左右一対の羽根１４を係止部１２に備えた吊り金具１０であり、
該吊り金具１０の支持部１１の外側面から係止部１２及び圧着部１３の外側面を囲むように形成された平面コ字形状の嵌合体１と、該嵌合体１の側面から係止部１２を貫通する固定ボルト２とを備え、
係止部１２の外側面を囲む嵌合体１が羽根１４の上面に係止するように装着され、
係止部１２に開口されている連結孔１６に重合する固定ボルト連結孔３を嵌合体１の側面に形成し、該固定ボルト連結孔３と連結孔１６とに固定ボルト２を挿通して吊り金具１０に固定するように構成したことにある。
【００１０】
第２の手段において、前記嵌合体１は、前記支持部１１の外側面に重ねる支持板１Ａと、前記係止部１２の外側面に重ねる係止板１Ｂと、前記圧着部１３の外側面に重ねる圧着板１Ｃとが連続形成され、
前記固定ボルト連結孔３は、前記係止部１２に開口されている連結孔１６に重合する位置で且つ横長の長孔状に形成されると共に、
側板１Ｂと補強片１Ｃとの間に形成された挿入口１Ｄの基端部に、該挿入口１Ｄの幅を調整せしめる傾斜面１Ｅを設け、該傾斜面１Ｅと固定ボルト連結孔３との位置により、異なる厚みの水平突起部Ｐ１を下から接するように構成したものである。
【００１１】
第３の手段において、前記嵌合体１は、前記支持板１Ａに切欠部を形成して内部の支持部１１が一部表出するように設けられ、角Ｕ字ボルトを使用した既存の補強金具２０を支持板１Ａの上から支持部１１に係止するように構成したことにある。
【発明の効果】
【００１２】
本発明の請求項１のごとく、係止部１２の外側面を囲む嵌合体１が羽根１４の上面に係止するように装着され、係止部１２に開口されている連結孔１６に重合する固定ボルト連結孔３を嵌合体１の側面に形成し、該固定ボルト連結孔３と連結孔１６とに固定ボルト２を挿通して吊り金具１０に固定するように構成したことにより、羽根１４を備えたタイプの吊り金具１０に対して左右方向に加わる荷重や振動に対する耐久性を強化することができるようになったものである。この結果、地震時の繰り返し揺れを受けても吊り金具の変形を防止することができる。
【００１３】
また、嵌合体１は、吊り金具１０の支持部１１の外側面から係止部１２及び圧着部１３の外側面を囲むように形成されているので、吊り金具１０の各部の構造を強化することができる。
【００１４】
請求項２のように、側板１Ｂと補強片１Ｃとの間に形成された挿入口１Ｄの基端部に、該挿入口１Ｄの幅を調整せしめる傾斜面１Ｅを設け、該傾斜面１Ｅと固定ボルト連結孔３との位置により、異なる厚みの水平突起部Ｐ１を下から接するように構成したことで、側板１Ｂによる羽根１４の強化と共に、傾斜面１Ｅにより水平突起部Ｐ１を下から支える強度が増しているので、吊り金具１０の左右方向への横倒れを確実に防止することができる。
【００１５】
請求項３によると、嵌合体１は、前記支持板１Ａに切欠部を形成して内部の支持部１１が一部表出するように設けられ、従来型の補強金具２０の角Ｕ字ボルトを支持板１Ａの上から支持部１１に係止するように構成したことにより、従来型の補強金具２０との併用も可能になるものである。
【図面の簡単な説明】
【００１６】
【図１】本発明の一実施例を示す斜視図である。
【図２】本発明の使用状態を示す側面図である。
【図３】本発明に併用する補強金具の一実施例を示す斜視図である。
【図４】本発明に併用する補強金具の他の実施例を示す斜視図である。
【発明を実施するための形態】
【００１７】
本発明によると、羽根を有するタイプの吊り金具に装着することで、吊り金具の左右方向に加わる荷重や振動に対する耐久性を強化して羽根の変形を防止し、しかも、角Ｕ字ボルトを使用する従来型の補強金具とも併用することが可能になるなどといった当初の目的を達成した。
【実施例】
【００１８】
以下、本発明の実施例を説明する。本発明補強金具は、形鋼を使用した造営材Ｐの水平突起部Ｐ１に係止せしめる既存の吊り金具１０に装着して羽根の変形を防止するものである。
【００１９】
本発明補強金具を装着する吊り金具１０は、特に羽根１４を備えた吊り金具１０とする（図４参照）。すなわち、この吊り金具１０は、支持部１１、係止部１２、圧着部１３にて側面略コ字状を成している（図２参照）。すなわち、支持部１１は、吊りボルトＱを垂直に支持する部材であり、この支持部１１の上部から水平に延長されて水平突起部Ｐ１の上に係止する係止部１２が設けられている。更に、圧着部１３は、支持部１１の下部から水平に延長された部材で、水平突起部Ｐ１の下面に下から締め付け固定する締付ボルト１５を装着している。そして、係止部１２に左右一対の羽根１４を設け、この羽根１４を水平突起部Ｐ１の上面に当接させるものである（図４参照）。また、支持部１１や圧着部１３には、予め連結孔１６が形成されており、吊り金具１０の設置状況に応じた他の器具類を連結できるように構成されている（図２参照）。
【００２０】
本発明補強金具は、嵌合体１と固定ボルト２とで構成されている（図１参照）。嵌合体１は、吊り金具１０の支持部１１の外側面から係止部１２及び圧着部１３の外側面を囲むように形成された平面コ字形状を成している。そして、係止部１２の外側面を囲む嵌合体１が羽根１４の上面に係止するように装着される（図４参照）。更に、係止部１２に開口されている連結孔１６に重合する固定ボルト連結孔３を嵌合体１の側面に形成し、該固定ボルト連結孔３と連結孔１６とに固定ボルト２を挿通して吊り金具１０に固定するように構成している（図２参照）。
【００２１】
図示の嵌合体１は、１枚の金属板を折り曲げ、支持板１Ａ、係止板１Ｂ、圧着板１Ｃが連続形成されたもので、それぞれ吊り金具１０の支持部１１、係止部１２、圧着部１３の外側面を囲むように形成されている（図４参照）。
【００２２】
一方、固定ボルト連結孔３は、前記係止部１２に開口されている連結孔１６に重合する位置で且つ横長の長孔状に形成されている（図２参照）。そして、側板１Ｂと補強片１Ｃとの間に形成された挿入口１Ｄの基端部に、該挿入口１Ｄの幅を調整せしめる傾斜面１Ｅを圧着板１Ｃに設けている（図１参照）。このように形成した傾斜面１Ｅと固定ボルト連結孔３との位置により、異なる厚みの水平突起部Ｐ１を傾斜面１Ｅが下から接することができるものである（図２、３参照）。
【００２３】
すなわち、図２に示す傾斜面１Ｅは、厚みのある水平突起部Ｐ１に接した状態を示している。この場合、水平突起部Ｐ１は、挿入口１Ｄの幅の広い部分で傾斜面１Ｅに接触している。一方、図３に示す傾斜面１Ｅは、薄い水平突起部Ｐ１に接した状態を示している。この水平突起部Ｐ１は、挿入口１Ｄの幅の狭くなった部分で傾斜面１Ｅに接触している。この場合、図３に示す嵌合体１は、図２に示す嵌合体１と比べて全体に造営材Ｐに近づくようにスライド移動することになるが、固定ボルト連結孔３を横長の長孔状に形成しているので、嵌合体１のスライド移動に対応することができる。このように、挿入口１Ｄに挿入する水平突起部Ｐ１の厚みが異なっていても、傾斜面１Ｅによって必ず水平突起部Ｐ１の下から接することになる。
【００２４】
本発明補強金具は、単独で使用する他、従来型の補強金具２０と併用することも可能である。そこで、嵌合体１の支持板１Ａには、補強金具２０と併用する際に使用する切欠部１Ｆを形成している（図１参照）。この切欠部１Ｆによって、内部の支持部１１が一部表出するように設けられている（図３、図４参照）。そして、角Ｕ字ボルトを使用した従来型の補強金具２０を使用する際に、支持板１Ａの切欠部１Ｆから表出する支持部１１に補強金具２０の係止金具２１が係止するように構成したものである。
【００２５】
本発明補助金具において、従来型の補強金具２０とは、角Ｕ字ボルトを使用するタイプの補強金具２０である。図示例では、角Ｕ字ボルト状の係止金具２１と、各種の造営材Ｐの水平突起部Ｐ１に係止する係止板２２とで構成する補強金具２０を示している。このとき、係止板２２は、造営材Ｐの形鋼の種類に応じて形状が異なる係止板２２を選択使用する。
【００２６】
図３に示す係止板２２は、Ｌ形鋼を造営材Ｐとした場合の水平突起部Ｐ１に係止するタイプの係止板２２を示している。このタイプの係止板２２は、Ｌ形鋼の上端部に係止する係止片２２Ａを上部に屈曲形成したものである。係止板２２の貫通孔２２Ｂを挿通した角Ｕ字ボルト状の係止金具２１は、固定ナット２１Ａで固定されている。
【００２７】
図４に示す係止板２２は、Ｈ形鋼を造営材Ｐとして場合の水平突起部Ｐ１に係止するタイプの係止板２２を示している。このタイプの係止板２２は、水平突起部Ｐ１上に係止する係止片２２Ｂと共に、水平突起部Ｐ１の下面に係止する係止片２２Ｃを備えている。そして、係止片２２Ｃの角度を変えることで、厚みの異なる水平突起部Ｐ１に対応できるように構成されたものである。
【００２８】
尚、従来の補強金具２０は、図示例に限られるものではなく、角Ｕ字ボルト状の係止金具２１を使用する他の補強金具２０と併用することも可能である。
【産業上の利用可能性】
【００２９】
本発明補強金具では、主に、造営材の水平突起部Ｐ１に固定する吊り金具１０に装着するものとして説明しているが、本発明補強金具の装着位置はこの例に限られるものではなく、吊り金具１０を固定可能な位置であればどのような場所でも良く、本発明の利用場所はこの例に限られるものではない。また、本発明は図示例に限定されるものではなく、本発明の要旨を変更しない範囲での設計変更は自由である。
【符号の説明】
【００３０】
Ｐ  造営材
Ｐ１  水平突起部
Ｑ  吊りボルト
１  嵌合体
１Ａ  支持板
１Ｂ  係止板
１Ｃ  圧着板
１Ｄ  挿入口
１Ｅ  傾斜面
２  固定ボルト
２Ａ  固定ナット
３  固定ボルト連結孔
１０  吊り金具
１１  支持部
１２  係止部
１３  圧着部
１４  羽根
１５  締付ボルト
１６  連結孔
２０  補強金具
２１  係止金具
２１Ａ  固定ナット
２２  係止板
２２Ａ  係止片
２２Ｂ  係止片
２２Ｃ  係止片
【要約】
【課題】吊り金具の左右方向に設けられた羽根の変形を防止し、従来型の補強金具とも併用することが可能な吊り金具用補強金具を提供する。
【解決手段】吊り金具１０の外側面を囲むように嵌合体１を形成する。該嵌合体１の側面から係止部１２を貫通する固定ボルト２を設ける。係止部１２の外側面を囲む嵌合体１が羽根１４の上面に係止するように装着する。係止部１２の連結孔１６に重合する固定ボルト連結孔３を形成する。該固定ボルト連結孔３と連結孔１６とに固定ボルト２を挿通する。挿入口１Ｄの基端部に傾斜面１Ｅを設ける。該傾斜面１Ｅと固定ボルト連結孔３とで、異なる厚みの水平突起部Ｐ１を下から接するように構成する。
【選択図】  図１【図１】
0005218946.tif 000002
【図２】
0005218946.tif 000003
【図３】
0005218946.tif 000004
【図４】
0005218946.tif 000005